(57)【要約】【課題】共有対象として選択された画像を容易かつ確実に、更に素早く共有する。【解決手段】撮像装置２は、共有対象となる画像を共有対象画像として指定する指定手段（指定部２０５ａ）と、前記指定手段による新たな共有対象画像の指定に応じて自動的に、外部機器（サーバ装置１）に格納するために当該共有対象画像を送信する送信処理と、当該共有対象画像が格納される際のアドレスを示すアドレス情報を特定する特定処理と、この特定したアドレス情報を他の機器（第２の携帯機器４）で読み取り可能な状態に変換して出力する出力処理と、を実行させる制御手段（動作制御部２０５、特定制御部２０５ｂ、送信制御部２０５ｃ、出力制御部２０５ｄ）と、を備えるようにする。【選択図】図２
2017117010.tif 000002
【特許請求の範囲】
【請求項１】
共有対象となる画像を共有対象画像として指定する指定手段と、
前記指定手段による新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる制御手段と、
を備えることを特徴とする画像処理装置。
【請求項２】
前記制御手段は、前記指定手段により新たな共有対象画像が指定される毎に、前記特定処理において、それぞれのアドレスを示すアドレス情報を特定する処理を実行させることを特徴とする請求項１に記載の画像処理装置。
【請求項３】
前記制御手段は、前記指定手段による新たな共有対象画像の指定に応じて、前記送信処理と前記出力処理とを並行して同時に実行させることを特徴とする請求項１に記載の画像処理装置。
【請求項４】
前記指定手段は、所望の画像を選択する選択操作と、当該所望の画像を共有対象とすることを指示する指示操作と、により前記共有対象となる画像を共有対象画像として指定することを特徴とする請求項１に記載の画像処理装置。
【請求項５】
前記指定手段は、前記指示操作が行われた後に、前記選択操作が行われた場合に、当該選択操作により選択された画像を前記共有対象画像として指定し、
前記制御手段は、前記指示操作に応じて、前記特定処理の実行を開始させ、前記選択操作に応じて、前記送信処理及び前記出力処理の実行を開始させることを特徴とする請求項４に記載の画像処理装置。
【請求項６】
前記制御手段は、前記共有対象画像が格納される際のアドレスを示すアドレス情報を自装置側で指定する制御を行うとともに、この指定したアドレス情報を外部機器に送信する制御を行うことを特徴とする請求項４に記載の画像処理装置。
【請求項７】
前記指定手段は、前記選択操作が行われた後に、前記指示操作が行われた場合に、当該選択操作により選択された画像を前記共有対象画像として指定することを特徴とする請求項４に記載の画像処理装置。
【請求項８】
前記制御手段は、前記指定手段による新たな共有対象画像の指定に応じて、前記特定処理または前記出力処理と並行して前記送信処理を同時に実行させることを特徴とする請求項３に記載の画像処理装置。
【請求項９】
前記出力処理は、前記特定処理により特定された前記アドレス情報を他の機器で解析可能なコードに変換し、この変換されたコードを他の機器で読み取り可能な物理状態に変換して出力し、他の機器が当該コードを読み取ったと判断するまで、この出力の状態を維持する処理であり、
前記制御手段は、少なくとも、前記出力の状態を維持した状態で、前記送信処理を実行させることを特徴とする請求項１に記載の画像処理装置。
【請求項１０】
前記制御手段は、前記他の機器で前記コードが読み取られたことが自動検出された場合、ユーザによる前記コードの読み取り完了の指示がなされた場合、または前記コードの読み取りに必要な所定時間が経過した場合に、前記他の機器が前記コードを読み取ったと判断することを特徴とする請求項９に記載の画像処理装置。
【請求項１１】
前記制御手段は、前記送信処理を実行させるとき、前記共有対象画像の格納状態を指定するように制御し、
前記格納状態は、前記外部機器に格納される前記共有対象画像に対して、他の機器から最初にアクセスがなされるまでの間は、当該共有対象画像の前記アドレス情報以外の所定の情報を必要とせずにアクセスを許可する一方で、他の機器から最初にアクセスがなされた後は、少なくとも前記アドレス情報以外の所定の情報を必要としないアクセスを禁止する状態であることを特徴とする請求項１に記載の画像処理装置。
【請求項１２】
前記特定処理により特定されたアドレス情報に基づき、コード化した画像であるコード化画像を生成する生成手段と、
前記生成手段により生成されたコード化画像を表示する表示手段と、
を備え、
前記制御手段は、前記出力処理において、前記生成手段により生成された前記コード化画像を前記表示手段に表示させる処理を実行させることを特徴とする請求項１に記載の画像処理装置。
【請求項１３】
前記制御手段は、前記出力処理において、前記アドレス情報を、ＮＦＣで規定されるデータ形式に変換し、当該ＮＦＣで規定される物理状態で出力する処理を実行させることを特徴とする請求項１に記載の画像処理装置。
【請求項１４】
撮像手段を更に備え、
前記指定手段は、前記撮像手段により撮像して得られる１または２以上の画像の中から所望の画像を前記共有対象画像として指定することを特徴とする請求項１に記載の画像処理装置。
【請求項１５】
前記撮像手段により撮像して得られる画像を自動的に外部機器に送信させる自動送信モードを設定する設定手段を更に備え、
前記指定手段は、前記設定手段により自動送信モードが設定されている状態において、前記撮像手段による撮像が行われた場合は、この撮像により得られた画像を前記共有対象画像として指定することを特徴とする請求項１４に記載の画像処理装置。
【請求項１６】
広域ネットワークを介した通信が可能な携帯機器との間でパーソナルな無線通信を行う通信手段を備え、
前記制御手段は、前記指定手段による新たな共有対象画像の指定に応じて自動的に、前記外部機器としてのサーバ装置に格納するための当該共有対象画像を、前記通信手段により前記携帯機器に送信し、当該携帯機器を介して広域ネットワークに接続された前記サーバ装置に送信する送信処理と、当該共有対象画像が格納される際のアドレスを示すアドレス情報を、前記携帯機器を介して前記サーバ装置より受信することによって特定する特定処理と、この特定したアドレス情報を他の機器で読み取り可能な状態に変換して出力する出力処理と、を実行させることを特徴とする請求項１４に記載の画像処理装置。
【請求項１７】
前記通信手段は、
自装置と前記携帯機器との両方が第１の所定状態にあることを条件として通信を行う第１の通信手段と、
自装置と前記携帯機器とのうちの少なくとも何れか一方が前記第１の所定状態に比べて動作制限が多い第２の所定状態にある場合であっても通信を行うことが可能な第２の通信手段と、を有し、
前記制御手段は、前記携帯機器が前記第２の所定状態にある場合は、前記送信処理において、前記第２の通信手段による通信によって当該携帯機器を前記第１の所定状態に移行させた後、前記第１の通信手段による通信によって前記共有対象画像を送信する処理を実行させることを特徴とする請求項１６に記載の画像処理装置。
【請求項１８】
前記第１の所定状態とは、電源がオンの状態であり、かつ、画像送信用のアプリケーションソフトを実行可能な状態であり、
前記第２の所定状態とは、電源がオンの状態でないか、あるいは、画像送信用のアプリケーションソフトを実行可能でない状態であることを特徴とする請求項１７に記載の画像処理装置。
【請求項１９】
前記第１の通信手段は、Ｗｉ−Ｆｉ規格に基づく通信であり、
前記第２の通信手段は、ＢＬＥ規格に基づく通信であることを特徴とする請求項１８に記載の画像処理装置。
【請求項２０】
前記制御手段は、前記出力処理において、前記コード化画像とともに、当該コード化画像を生成する元になった前記アドレス情報が示すアドレスに格納されている前記共有対象画像を並べて前記表示手段に表示させる処理を実行させることを特徴とする請求項１２に記載の画像処理装置。
【請求項２１】
前記出力処理によって前記表示手段に並べて表示された前記コード化画像と前記共有対象画像とを合成した合成画像を記録する記録手段を備え、
前記制御手段は、前記出力処理において、前記記録手段により記録された前記合成画像がある場合、当該合成画像を任意のタイミングで読み出して前記表示手段に表示させる処理を実行させることを特徴とする請求項２０に記載の画像処理装置。
【請求項２２】
共有対象となる画像を共有対象画像として指定する指定手段と、
前記指定手段による新たな共有対象画像の指定に応じて自動的に、外部機器に格納するために当該共有対象画像を送信する送信処理と、当該共有対象画像が格納される際のアドレスを示すアドレス情報を他の機器で読み取り可能な状態に変換して出力する出力処理と、を実行させる制御手段と、
を備えることを特徴とする画像処理装置。
【請求項２３】
共有対象となる画像を共有対象画像として指定する処理と、
新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる処理と、
を含むことを特徴とする画像共有方法。
【請求項２４】
コンピュータを、
共有対象となる画像を共有対象画像として指定する指定手段、
前記指定手段による新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる制御手段、
として機能させることを特徴とするプログラム。
【請求項２５】
撮像装置と第１の携帯機器と第２の携帯機器とサーバ装置とで構成される画像共有システムであって、
前記撮像装置は、撮影した画像を共有対象画像として指定するとともに、パーソナルな無線通信により当該共有対象画像を前記第１の携帯機器に送信し、
前記第１の携帯機器は、前記撮像装置から受信した前記共有対象画像を広域ネットワークを介して前記サーバ装置に送信し、
前記サーバ装置は、前記第１の携帯機器から受信した前記共有対象画像を自装置の格納手段に格納するとともに、当該共有対象画像が格納された領域を示すアドレス情報を前記第１の携帯機器に送信し、
前記第１の携帯機器は、前記サーバ装置から受信した前記アドレス情報を前記撮像装置に送信し、
前記撮像装置は、前記第１の携帯機器から受信した前記アドレス情報を前記第２の携帯機器で読み取り可能な状態に変換して出力し、
前記第２の携帯機器は、前記撮像装置により変換された状態で出力された前記アドレス情報を読み取り、当該アドレス情報が示す前記サーバ装置の格納先にアクセスして前記共有対象画像を取得することを特徴とする画像共有システム。
【請求項２６】
前記第２の携帯機器は、前記撮像装置により２次元コードに変換され表示されている前記アドレス情報を撮像し、この撮像された２次元コードを解析し、この解析したアドレス情報が示す前記サーバ装置の格納先にアクセスして前記共有対象画像を取得することを特徴とする請求項２５に記載の画像共有システム。
【請求項２７】
撮像装置と携帯機器とサーバ装置とで構成される画像共有システムであって、
前記撮像装置は、撮影した画像を共有対象画像として指定するとともに、パーソナルな無線通信により当該共有対象画像を前記携帯機器に送信し、
前記携帯機器は、前記撮像装置から受信した前記共有対象画像を広域ネットワークを介して前記サーバ装置に送信し、
前記サーバ装置は、前記携帯機器から受信した前記共有対象画像を自装置の格納手段に格納するとともに、当該共有対象画像が格納された領域を示すアドレス情報を前記携帯機器に送信し、
前記携帯機器は、前記サーバ装置から受信した前記アドレス情報を前記撮像装置に送信し、
前記撮像装置は、前記携帯機器から受信した前記アドレス情報を他の機器で読み取り可能な状態に変換して出力することを特徴とする画像共有システム。
【発明の詳細な説明】
【技術分野】
【０００１】
本発明は、画像処理装置、画像共有方法、プログラム、及び画像共有システムに関する。
【背景技術】
【０００２】
従来、カメラで撮影した画像をサーバ上にアップロードし、他の人が所有する携帯端末などからアクセスして閲覧できるようにした画像共有システムが知られている。例えば、特許文献１には、上記画像共有システムにおいて、共有対象となる画像が格納される予定であるサーバ上のアドレス情報を示すＱＲコード（登録商標）をカメラの表示部に表示させ、携帯端末の撮像部によりこのＱＲコードを撮影した後、解析してアドレス情報を当該携帯端末に取得させることによって、上記アドレス情報が示す格納先の共有対象となる画像を当該携帯端末のユーザが見たいタイミングにおいてサーバに画像送信要求を出しておくことにより、当該画像を提供する予定のカメラがインターネットに繋がった際にサーバを介して当該画像が送られてくるようにした技術が開示されている。
【先行技術文献】
【特許文献】
【０００３】
【特許文献１】特開２００８−２３６１５９号公報
【発明の概要】
【発明が解決しようとする課題】
【０００４】
しかしながら、上記特許文献１に開示されている技術では、アドレス情報を携帯端末に伝達するための操作とは別に、共有対象となる画像をサーバ上に格納するための操作が必要であり当該操作が行われない限り、共有対象とされた画像を携帯端末で閲覧することができない。
【０００５】
本発明は、このような問題に鑑みてなされたものであり、共有対象として選択された画像を容易かつ確実に、更に素早く共有することを目的とする。
【課題を解決するための手段】
【０００６】
上記課題を解決するため、本発明に係る画像処理装置は、
共有対象となる画像を共有対象画像として指定する指定手段と、
前記指定手段による新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる制御手段と、
を備えることを特徴としている。
【０００７】
また、本発明に係る画像共有方法は、
共有対象となる画像を共有対象画像として指定する処理と、
新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる処理と、
を含むことを特徴としている。
【０００８】
また、本発明に係るプログラムは、
コンピュータを、
共有対象となる画像を共有対象画像として指定する指定手段、
前記指定手段による新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる制御手段、
として機能させることを特徴としている。
【０００９】
また、本発明に係る画像共有システムは、
撮像装置と第１の携帯機器と第２の携帯機器とサーバ装置とで構成される画像共有システムであって、
前記撮像装置は、撮影した画像を共有対象画像として指定するとともに、パーソナルな無線通信により当該共有対象画像を前記第１の携帯機器に送信し、
前記第１の携帯機器は、前記撮像装置から受信した前記共有対象画像を広域ネットワークを介して前記サーバ装置に送信し、
前記サーバ装置は、前記第１の携帯機器から受信した前記共有対象画像を自装置の格納手段に格納するとともに、当該共有対象画像が格納された領域を示すアドレス情報を前記第１の携帯機器に送信し、
前記第１の携帯機器は、前記サーバ装置から受信した前記アドレス情報を前記撮像装置に送信し、
前記撮像装置は、前記第１の携帯機器から受信した前記アドレス情報を前記第２の携帯機器で読み取り可能な状態に変換して出力し、
前記第２の携帯機器は、前記撮像装置により変換された状態で出力された前記アドレス情報を読み取り、当該アドレス情報が示す前記サーバ装置の格納先にアクセスして前記共有対象画像を取得することを特徴としている。
【発明の効果】
【００１０】
本発明によれば、共有対象として選択された画像を容易かつ確実に、更に素早く共有することができる。
【図面の簡単な説明】
【００１１】
【図１】本発明を適用した画像共有システムの概略構成を示す図である。
【図２】図１の画像共有システムを構成する撮像装置の概略構成を示すブロック図である。
【図３】本実施の形態の画像共有システムにおける処理の流れについて説明するシーケンス図である。
【図４】合成画像の一例を示す図である。
【発明を実施するための形態】
【００１２】
以下、添付図面を参照して本発明に係る実施の形態を詳細に説明する。なお、本発明は、図示例に限定されるものではない。
【００１３】
図１は、本発明を適用した画像共有システム１００の概略構成を示す図である。
図１に示すように、画像共有システム１００は、サーバ装置（外部機器）１と、撮像装置（画像処理装置）２と、第１の携帯機器３と、第２の携帯機器４と、を備えている。
【００１４】
第１の携帯機器３は、撮像装置２の所有者が撮像装置２と一緒に持ち歩くことを前提としており、撮像装置２との間でパーソナルな無線通信により通信可能であるとともに、広域ネットワークＮを介してサーバ装置１、第２の携帯機器４と相互に通信可能である。
それに対して第２の携帯機器４は、撮像装置２の所有者以外の他の所有者が所有することを前提としており、図１では１台しか示していないが、複数の携帯機器が第２の携帯機器４として広域ネットワークＮに接続されたものである。
【００１５】
先ず、サーバ装置１について説明する。
サーバ装置１は、例えば、クラウドを構成するサーバ装置であり、Ｗｅｂ（World Wide Web）サーバとしてインターネット上にＷｅｂページ（例えば、画像公開ページ等）を開設する機能を具備する。そして、サーバ装置１は、例えば、撮像装置２等の通信端末から第１の携帯機器３を介して送信された各種の画像等を受信して、Ｗｅｂページ上にコンテンツ（アルバム）として公開する。また、サーバ装置１は、コンテンツ（アルバム）毎にＷｅｂページにアクセスする際のアドレス情報であるコンテンツ（アルバム）のＵＲＬを変える機能を具備する。
これにより、サーバ装置１が開設するＷｅｂページ上に公開されているコンテンツは、広域ネットワークＮを介して当該Ｗｅｂページにアクセス可能な第２の携帯機器４等の通信端末のユーザにより閲覧可能な状態となる。
なお、サーバ装置１は、広域ネットワークＮに接続可能なコンピュータから構成されたものであれば如何なる構成であっても良く、その詳細な説明は省略する。
【００１６】
次に、撮像装置２について、図２を参照して説明する。
図２は、画像共有システム１００を構成する撮像装置２の概略構成を示すブロック図である。
図２に示すように、撮像装置２は、具体的には、中央制御部２０１と、メモリ２０２と、撮像部２０３と、信号処理部２０４と、動作制御部２０５と、画像処理部２０６と、記録媒体制御部２０７と、生成部２０８と、表示部２０９と、通信部２１０と、操作入力部２１１と、を備えている。
また、中央制御部２０１、メモリ２０２、撮像部２０３、信号処理部２０４、動作制御部２０５、画像処理部２０６、記録媒体制御部２０７、生成部２０８、表示部２０９、及び通信部２１０は、バスライン２１２を介して接続されている。
【００１７】
また、撮像装置２は、例えば、撮像機能を具備する携帯電話機やスマートフォン、ＰＤＡ（Personal Data Assistants）等の通信端末から構成されていても良いし、通信機能を具備するデジタルカメラ等から構成されていても良い。
【００１８】
中央制御部２０１は、撮像装置２の各部を制御するものである。具体的には、中央制御部２０１は、図示は省略するが、ＣＰＵ（Central Processing Unit）等を備え、撮像装置２用の各種処理プログラム（図示略）に従って各種の制御動作を行う。
【００１９】
メモリ２０２は、例えば、ＤＲＡＭ（Dynamic Random Access Memory）等により構成され、中央制御部２０１や動作制御部２０５等によって処理されるデータ等を一時的に格納する。
【００２０】
撮像部（撮像手段）２０３は、所定の被写体（例えば、人物等）を撮像してフレーム画像を生成する。具体的には、撮像部２０３は、レンズ部２０３ａと、電子撮像部２０３ｂと、撮像制御部２０３ｃと、を備えている。
【００２１】
レンズ部２０３ａは、例えば、ズームレンズやフォーカスレンズ等の複数のレンズ、レンズを通過する光の量を調整する絞り等から構成されている。
電子撮像部２０３ｂは、例えば、ＣＣＤ（Charge Coupled Device）やＣＭＯＳ（Complementary Metal-oxide Semiconductor）等のイメージセンサ（撮像素子）から構成されている。そして、電子撮像部２０３ｂは、レンズ部２０３ａの各種レンズを通過した光学像を二次元の画像信号に変換する。
撮像制御部２０３ｃは、例えば、タイミング発生器やドライバにより電子撮像部２０３ｂを走査駆動して、レンズ部２０３ａを通過した光学像を電子撮像部２０３ｂにより所定周期毎に二次元の画像信号に変換させ、当該電子撮像部２０３ｂの撮像領域から一画面分ずつフレーム画像を読み出して信号処理部２０４に出力させる。
【００２２】
信号処理部２０４は、電子撮像部２０３ｂから転送されたフレーム画像のアナログ値の信号に対して各種の画像信号処理を施す。具体的には、信号処理部２０４は、例えば、フレーム画像のアナログ値の信号に対してＲＧＢの色成分毎にゲイン調整し、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行って、デジタル値の輝度信号Ｙ及び色差信号Ｃｂ，Ｃｒ（ＹＵＶデータ）を生成する。また、信号処理部２０４は、生成された輝度信号Ｙ及び色差信号Ｃｂ，Ｃｒをバッファメモリとして使用されるメモリ２０２に出力する。
【００２３】
動作制御部２０５は、指定部２０５ａと、特定制御部２０５ｂと、送信制御部２０５ｃと、出力制御部２０５ｄと、を具備している。
なお、動作制御部２０５の各部は、例えば、所定のロジック回路から構成されているが、当該構成は一例であってこれに限られるものではない。
【００２４】
指定部（指定手段）２０５ａは、共有対象となる画像を共有対象画像として指定する。
具体的には、指定部２０５ａは、所望の画像を選択する選択操作と、当該所望の画像を共有対象とすることを指示する指示操作と、により共有対象となる画像を共有対象画像として指定する。ここで、上記の選択操作は、後述する操作入力部２１１の選択決定ボタン（図示略）の操作によりなされる。また、上記の指示操作は後述する操作入力部２１１の設定ボタン（図示略）の操作によりなされる。
本実施形態では、指定部２０５ａは、上記の指示操作が行われた後に、選択操作が行われた場合に、当該選択操作により選択された画像を共有対象画像として指定する。また、指定部２０５ａは、上記選択操作によって、後述する記録媒体Ｍに記録されている、すなわち撮像部２０３により撮像して得られた１または２以上の画像の中から所望の画像を共有対象画像として選択する。なお、上記選択操作によって選択される所望の画像は１つに限らず、複数であっても良い。
【００２５】
特定制御部（制御手段）２０５ｂは、指定部２０５ａによる新たな共有対象画像の指定に応じて自動的に、当該共有対象画像が格納される際のアドレスを示すアドレス情報を特定する特定処理を実行させる。
具体的には、特定制御部２０５ｂは、指定部２０５ａにより共有対象画像が指定される際の指定操作に応じて、上記特定処理の実行を開始させる。
より具体的には、特定制御部２０５ｂは、上記指定操作が行われた場合、共有対象画像が登録されるアルバムのＵＲＬ（Uniform Resource Locator）（アドレス情報）を取得するための取得要求信号（以下、取得要求信号という）を、第２通信部２１０ｂを介して第１の携帯機器３に送信する。そして、送信された取得要求信号は、第１の携帯機器３を経由してサーバ装置１に送信されることとなる。サーバ装置１は、受信した取得要求信号に応じて共有対象画像を登録するためのアルバムを作成するとともに、当該アルバムのＵＲＬを第１の携帯機器３を経由して撮像装置２に送信する。
そして、特定制御部２０５ｂは、第２通信部２１０ｂを介してアルバムのＵＲＬを受信し、メモリ２０２に当該アルバムのＵＲＬを一時記憶させる。
ここで、特定制御部２０５ｂは、指定部２０５ａによる新たな共有対象画像の指定に応じて自動的に、共有対象画像が格納される際のアドレスを示すアドレス情報を特定する特定処理を実行させたこととなる。
【００２６】
また、本実施形態において、特定制御部２０５ｂは、指定部２０５ａにより新たな共有対象画像が指定される毎に、上述した特定処理において、それぞれのアドレスを示すアドレス情報（アルバムのＵＲＬ）を特定する処理を実行させる。
【００２７】
送信制御部（制御手段）２０５ｃは、指定部２０５ａによる新たな共有対象画像の指定に応じて自動的に、サーバ装置１に格納するために共有対象画像を送信する送信処理を実行させる。
具体的には、送信制御部２０５ｃは、指定部２０５ａにより共有対象画像が指定される際の選択操作に応じて、上記送信処理の実行を開始させる。
より具体的には、送信制御部２０５ｃは、上記選択操作が行われた場合、選択された共有対象画像を、第１通信部２１０ａを介して第１の携帯機器３に送信する。そして、送信された共有対象画像は、第１の携帯機器３において保存されるとともに、第１の携帯機器３を経由してサーバ装置１に送信され所定のアルバムに登録されることとなる。
ここで、送信制御部２０５ｃは、指定部２０５ａによる新たな共有対象画像の指定に応じて自動的に、サーバ装置１に格納するために共有対象画像を送信する送信処理を実行させたこととなる。
【００２８】
出力制御部（制御手段）２０５ｄは、指定部２０５ａによる新たな共有対象画像の指定に応じて自動的に、上記特定処理により特定されたアドレス情報（アルバムのＵＲＬ）を第２の携帯機器４で読み取り可能な状態に変換して出力する出力処理を実行させる。
具体的には、出力制御部２０５ｄは、指定部２０５ａにより共有対象画像が指定される際の選択操作に応じて、上記送信処理と出力処理の実行を開始させ、上記送信処理と並行して同時に出力処理を実行する（ここで、同時とは、時分割で実行する場合を含む）。
上記出力処理では、上記特定処理により特定されたアドレス情報（アルバムのＵＲＬ）を第２の携帯機器４で解析可能なコードに変換し、この変換されたコードを第２の携帯機器４で読み取り可能な物理状態に変換して出力し、第２の携帯機器４が当該コードを読み取ったと判断するまで、この出力の状態を維持するものとする。第２の携帯機器４が上記コードを読み取ったとする判断は、第２の携帯機器４で上記コードが読み取られたことが自動検出された場合、ユーザによる上記コードの読み取り完了の指示がなされた場合、または上記コードの読み取りに必要な所定時間が経過した場合になされる。なお、第２の携帯機器４で上記コードが読み取られた旨の自動検出は、第２の携帯機器４からの上記コードの読み取り完了通知によりなされる。
本実施形態において、送信制御部２０５ｃは、少なくとも、上記出力の状態を維持した状態で、上記送信処理を実行させるものとする。
【００２９】
本実施形態において、出力制御部２０５ｄは、上記選択操作が行われた場合、上記特定処理により特定されメモリ２０２に一時記憶されているアドレス情報（アルバムのＵＲＬ）に基づき、コード化した２次元コード（コード化画像）を生成部２０８に生成させる。そして、出力制御部２０５ｄは、当該２次元コードとともに、当該２次元コードを生成する元になったアルバムのＵＲＬに格納されている（格納される予定である）共有対象画像を並べて表示パネル２０９ｂに表示させる（図４参照）。ここで、共有対象画像として指定された画像が複数ある場合、例えば、当該複数の画像がサムネイル画像として表示されるようになっている。
なお、本実施形態にあっては、出力制御部２０５ｄは、上記２次元コードとともに、当該２次元コードを生成する元になったアルバムのＵＲＬに格納されている（格納される予定である）共有対象画像を並べて表示パネル２０９ｂに表示させる場合を説明したが、これに限らず、少なくとも２次元コードのみが表示パネル２０９ｂに表示されるようになっていれば良い。また、共有対象画像として指定された画像が複数ある場合、サムネイル画像として表示する他、そのアルバムを代表する１つの画像を表示しても良い。また、ここで作成した２次元コードを再利用して他のタイミングで後から表示して読み込ませることも可能であり、その場合には、その元となった画像がわかるように、対応する共有対象画像と２次元コードを並べて表示しても良い。
また、例えば、２次元コードと共有対象画像が並べて表示されている状態で、表示パネル２０９ｂに表示された当該画像を記録するための記録操作が操作入力部２１１を介してなされた場合、出力制御部２０５ｄは、このとき表示パネル２０９に表示されている内容、すなわち表示パネル２０９に並べて表示された２次元コードと共有対象画像とをキャプチャ（ハードコピー）し、合成画像Ｃとして後述する記録媒体Ｍに記録することができる。
本実施形態にあっては、記録媒体Ｍに合成画像Ｃが記録されている場合、出力制御部２０５ｄは、ユーザによる操作入力部２１１の所定の操作に基づき、当該合成画像Ｃを任意のタイミングで読み出して表示パネル２０９に表示させることができる。
【００３０】
画像処理部２０６は、信号処理部２０４により生成された静止画像の画像データを所定の圧縮形式（例えば、ＪＰＥＧ形式等）で符号化して静止画像の記録用の画像データを生成する。
また、画像処理部２０６は、メモリ２０２や記録媒体Ｍから読み出された表示対象に係る静止画像の画像データを対応する所定の符号化方式に従って復号して表示部２０９に出力する。このとき、画像処理部２０６は、例えば、後述する表示パネル２０９ｂの表示解像度等に基づいて所定サイズ（例えば、ＶＧＡやフルＨＤサイズ）に変形して表示部２０９に出力しても良い。
なお、画像処理部２０６は、所定のロジック回路から構成されているが、当該構成は一例であってこれに限られるものではない。例えば、画像処理部２０６は、その画像処理の内容に応じてロジック回路とＣＰＵの両方で分担して実行するようにしても良い。
【００３１】
記録媒体制御部２０７は、記録媒体Ｍが着脱自在に構成され、装着された記録媒体Ｍからのデータの読み出しや記録媒体Ｍに対するデータの書き込みを制御する。
即ち、記録媒体制御部２０７は、画像処理部２０６の符号化部（図示略）により所定の圧縮形式（例えば、ＪＰＥＧ形式等）で符号化された記録用の画像データを記録媒体Ｍの所定の記録領域に記録させる。また、記録媒体制御部２０７は、上記送信処理の対象となる共有対象画像の画像データを記録媒体Ｍから読み出して第２通信部２１０ｂに出力する。
【００３２】
記録媒体Ｍは、例えば、不揮発性メモリ（フラッシュメモリ）等により構成されている。また、記録媒体（記録手段）Ｍは、撮像部２０３により撮像された画像の画像データや、表示部２０９に並べて表示された２次元コードと共有対象画像とを合成した合成画像Ｃ（図４参照）の画像データを記録している。
【００３３】
生成部（生成手段）２０８は、上記特定処理により特定されたアドレス情報（アルバムのＵＲＬ）に基づき、コード化した画像である２次元コードを生成する。
ここで生成する２次元コードの種類としては、背景技術で説明したＱＲコード（登録商標）を用いることができる。しかしながら、ＱＲコードに限定せずに様々な２次元コードを用いることができる（アドレス情報を各種の２次元コードに変換する具体的な方法については公知であるため省略する）。
また、２次元コードを用いる理由として、ＷｅｂページのＵＲＬを示す文字情報（http://wwwなどで始まる文字情報）を表示して文字認識させる場合と比較して、誤認識の可能性が低くなることがあげられる。そのため、特に２次元コードではなくとも、文字情報そのものと比較して誤認識が少なくなるようなコードであれば他のコードを用いてもよい。
また、ＱＲコードを用いる理由として、広く一般的に普及しており、それに対応するアプリ（ソフトウエア）が携帯端末に搭載されている可能性が高いからである。つまり、このような汎用的なアプリでは、撮影した画像の中にＱＲコードが含まれている場合には、それを自動的に解析し、その解析の結果、それがＷｅｂページのＵＲＬを示していた場合に（http://wwwなどで始まる文字情報である場合に）、このＵＲＬを所定形式で表示し（クリック可能であることを示すアンダーラインとともに表示し）、この表示部分をクリックすることにより（あるいはクリックなしで自動的に）、対応するＷｅｂページのＨＴＭＬデータを読み込んで表示することができる。そのため、ＱＲコードに限らず、表示されたコードに基づくＷｅｂページの表示が容易にできるものであれば、他のコードを用いてもよい。
このようなコードを用いることで、より多くの機器で確実、かつ容易に対応するＷｅｂページを表示させることができるようになる。
なお、生成部２０８は、所定のロジック回路から構成されているが、当該構成は一例であってこれに限られるものではない。
【００３４】
表示部（表示手段）２０９は、表示制御部２０９ａと、表示パネル２０９ｂと、を具備している。
表示制御部２０９ａは、記録媒体Ｍから読み出され画像処理部２０６により復号された所定サイズの画像データに基づいて、所定の画像を表示パネル２０９ｂの表示画面に表示させる制御を行う。
【００３５】
表示パネル２０９ｂは、表示領域内に画像を表示する。また、表示パネル２０９ｂとしては、例えば、液晶表示パネルや有機ＥＬ表示パネルなどが挙げられるが、一例であってこれらに限られるものではない。
【００３６】
通信部２１０は、広域ネットワークＮを介した通信が可能な第１の携帯機器３との間でパーソナルな無線通信を行う。
具体的には、通信部２１０は、撮像装置２と第１の携帯機器３との両方が第１の所定状態、すなわち電源がオンの状態であり、かつ、画像送信用のアプリケーションソフトを実行可能な状態にあることを条件として通信を行う第１通信部（第１の通信手段）２１０ａと、撮像装置２と第２の携帯機器３とのうちの少なくとも何れか一方が第１の所定状態に比べて動作制限が多い第２の所定状態、すなわち電源がオンの状態でないか、あるいは、画像送信用のアプリケーションソフトを実行可能でない状態にある場合であっても通信を行うことが可能な第２通信部（第２の通信手段）２１０ｂと、を具備している。
【００３７】
第１通信部２１０ａは、Ｗｉ−Ｆｉ（Wireless Fidelity）の規格により通信を行う。
第２通信部２１０ｂは、ＢＬＥ（Bluetooth（登録商標）Low Energy）の規格により通信を行う。
なお、第１通信部２１０ａ、第２通信部２１０ｂは、アンテナ、復調回路、信号処理回路等により構成されている。
【００３８】
本実施形態において、送信制御部２０５ｃは、第１の携帯機器３が第２の所定状態にある場合は、送信処理において、第２通信部２１０ｂによる通信によって第１の携帯機器３を第１の所定状態に移行させた後、第１通信部２１０ａによる通信によって共有対象画像を送信する処理を実行させる。具体的には、例えば、第１の携帯機器３が画像送信用のアプリケーションソフトを実行可能でない状態にある場合は、送信制御部２０５ｃは、第２通信部２１０ｂによる通信によって、画像送信用のアプリケーションソフトを起動させるための起動要求信号を送信し、画像送信用のアプリケーションソフトを実行可能な状態に第１の携帯機器３を移行させた後、第１通信部２１０ａによる通信によって共有対象画像を送信する処理を実行させる。
【００３９】
操作入力部２１１は、撮像装置２の所定操作を行うためのものであり、例えば、装置本体の電源のＯＮ／ＯＦＦに係る電源ボタン（図示略）、被写体の撮像指示に係るシャッタボタン（図示略）、画像共有モードの設定に係る設定ボタン（図示略）、画像共有モードにおける所望の画像の選択指示に係る選択決定ボタン（図示略）、ズーム量の調整指示に係るズームボタン（図示略）等を備えている。そして、操作入力部２１１は、各ボタンの操作に応じて所定の操作信号を中央制御部２０１に出力する。
【００４０】
次に、第１の携帯機器３について説明する。
第１の携帯機器３は、例えば、スマートフォン、携帯電話、タブレット式端末などの携帯機器である。図示は省略するが、第１の携帯機器３には、例えば、表示部と、操作部と、第１通信部と、第２通信部と、記憶部と、これらを制御する制御部と、が設けられている。
表示部は、例えば、液晶パネルや有機ＥＬ（Electro Luminescence）パネル等から構成されている。
操作部は、例えば、タッチパネルや、操作キー等である。
第１通信部は、Ｗｉ−Ｆｉ（Wireless Fidelity）などの規格により通信を行う。
第２通信部は、ＢＬＥ（Bluetooth Low Energy）の規格によって撮像装置２の第２通信部２１０ｂと通信を行う。
記憶部には、撮像装置２から第１通信部を介して送信されてきた共有対象画像の画像データをサーバ装置１へ送信するための画像送信用のアプリケーションソフトが記憶されている。
制御部は、例えば、第２通信部を介して、画像送信用のアプリケーションソフトを起動させるための起動要求信号が第２通信部を介して撮像装置２から出力されると、当該画像送信用のアプリケーションソフトを起動し、撮像装置２から第１通信部を介して送信されてきた共有対象画像の画像データをサーバ装置１へ送信する。
【００４１】
次に、第２の携帯機器４について説明する。
第２の携帯機器４は、第１の携帯機器３と同様、例えば、スマートフォン、携帯電話、タブレット式端末などの携帯機器である。図示は省略するが、第２の携帯機器４には、例えば、撮像部と、表示部と、操作部と、通信部と、記憶部と、これらを制御する制御部と、が設けられている。
撮像部は、撮像装置２の表示部２０９に表示された２次元コードを撮像する。
表示部は、例えば、液晶パネルや有機ＥＬ（Electro Luminescence）パネル等から構成されており、撮像部により撮像された２次元コードを表示する。
操作部は、例えば、タッチパネルや、操作キー等である。
通信部は、Ｗｉ−Ｆｉ（Wireless Fidelity）などの規格により通信を行う。
記憶部には、撮像装置２の表示部２０９に表示された２次元コードを読み取るためのアプリケーションソフト（２次元コードリーダアプリ）が記憶されている。
制御部は、上記アプリケーションソフトの起動に応じて、撮像部による撮像処理を開始させる。第２の携帯機器４は、撮像部によって２次元コードを撮像すると、当該制御部の制御下において当該２次元コードを解析し、解析されたアドレス情報が示すサーバ装置１の格納先のアドレスを表示部に表示する。そして、当該アドレスへアクセスするための操作が操作部によりなされた場合、第２の携帯機器４は、当該アドレスへアクセスし、共有対象画像の画像データの送信要求信号を送信することによって、当該共有対象画像の画像データを取得し、当該共有対象画像を表示部に表示する。
【００４２】
次に、上記画像共有システム１００における処理の流れについて、図３を参照しながら説明する。
撮像装置２と第１の携帯機器３は、いつでも第２通信部（ＢＬＥ）による通信が可能なように予めペアリングされているものとする。また、第２通信部（ＢＬＥ）は、第１の携帯機器３が低消費電力状態となっている場合（例えば、画像送信用のアプリが停止状態の場合など）でも通信が可能であり、撮像装置２からの信号送信に応じて第１の携帯機器３を低消費電力状態から通常の起動状態に移行させたり、画像送信用のアプリを実行状態に移行させることができる。
【００４３】
先ず、撮像装置２の特定制御部２０５ｂは、指定部２０５ａにより共有対象画像が指定される際の指定操作によって画像共有モードに設定されると（Ｓ１０１）、予めサーバ装置１や第１の携帯機器３との間で規定された所定の取得要求信号を、第２通信部２１０ｂを介して第１の携帯機器３に送信する（Ｔ１０２）。取得要求信号を受信した第１の携帯機器３は、当該取得要求信号をサーバ装置１に送信する（Ｔ１０３）。この取得要求信号は、サーバ装置１に対して新たなアルバムの作成を要求するとともに、そのアルバムのＵＲＬを送信させ、そのＵＲＬを第１の携帯機器３を介して撮像装置２が取得することを要求するものであることが予めサーバ装置１や第１の携帯機器３との間で規定されたものである。
【００４４】
サーバ装置１は、取得要求信号を受信すると、共有対象画像を登録するためのアルバムを作成する（Ｓ１０４）。そして、サーバ装置１は、当該アルバムのＵＲＬを第１の携帯機器３に送信する（Ｔ１０５）。なお、サーバ装置１は、作成したアルバム毎にＷｅｂページにアクセスする際のアドレス情報であるアルバムのＵＲＬを変えて当該アルバムのＵＲＬを第１の携帯機器３に送信する。アルバムのＵＲＬを受信した第１の携帯機器３は、当該アルバムのＵＲＬを撮像装置２に送信する（Ｔ１０６）。
【００４５】
撮像装置２は、アルバムのＵＲＬを受信すると、そのＵＲＬを記憶する。この段階では、まだ、このＵＲＬと、当該アルバムに含めるべき共有対象画像との対応関係は未定である。その後（他のＵＲＬを受信する前に）、指定部２０５ａにより当該アルバムに含めるべき１または複数の共有対象画像が指定される際の選択操作がなされると（Ｓ１０７）、当該ＵＲＬと、当該アルバムに含めるべき共有対象画像との対応関係が特定される。そして、送信制御部２０５ｃの制御下において、第１の携帯機器３が画像送信用のアプリケーションソフトを実行可能な状態でない場合を考慮して、撮像装置２は、第２通信部２１０ｂによる通信によって、画像送信用のアプリケーションソフトを起動させるための起動要求信号を第１の携帯機器３に送信する（Ｔ１０８）。ここで、上記起動要求信号は、第１の携帯機器３が画像送信用のアプリケーションソフトを実行可能な状態であるか否かを判断し、実行可能な状態に無いと判断した場合にのみ送信するようにしても良い。
【００４６】
第１の携帯機器３は、起動要求信号を受信すると、必要に応じて画像送信用のアプリケーションソフトを起動する（Ｓ１０９）。撮像装置２は、送信制御部２０５ｃの制御下において、選択された共有対象画像の画像データを、第１通信部２１０ａを介して第１の携帯機器３に送信する動作を開始する（Ｔ１１０）とともに、出力制御部２０５ｄの制御下において、上記特定処理により特定されたアルバムのＵＲＬを第２の携帯機器４で読み取り可能な２次元コードに変換し、第２の携帯機器４で読み取らせるために表示部２０９に表示する動作を開始する（Ｓ１１１）。
【００４７】
第１の携帯機器３は、共有対象画像の画像データを受信すると、当該共有対象画像の画像データを保存する（Ｓ１１２）とともにサーバ装置１に送信する（Ｔ１１３）。
サーバ装置１は、ＵＲＬを送信した機器から最初に１または複数の画像データを受信すると、この受信した１または複数の画像データを当該ＵＲＬに対応する共有対象画像として判断し、Ｓ１０４で作成されたアルバムに当該共有対象画像の画像データを登録する（Ｓ１１４）。
【００４８】
第２の携帯機器４は、２次元コードリーダアプリを起動する（Ｓ１１５）。そして、第２の携帯機器４は、撮像部によって２次元コードが撮像されると、当該２次元コードを解析し、当該２次元コードを読み取る（Ｓ１１６）。そして、第２の携帯機器４は、解析されたアドレス情報が示すサーバ装置１の格納先のアドレスへアクセスする（Ｓ１１７）。
ここで、撮像装置２は、第２の携帯機器４によって２次元コードが撮像されるまでの間は、表示状態を維持する。
また、撮像装置２は、共有対象画像の送信が可能になると直ちに送信を開始し、この送信が完了するまでの間は、第２の携帯機器４による２次元コードの撮像や、この２次元コードに基づくアクセス動作と並行して共有対象画像の送信動作を継続させる。
【００４９】
第２の携帯機器４は、上記アドレスへのアクセスがなされると、共有対象画像の画像データの送信要求信号をサーバ装置１に送信する（Ｔ１１８）。
サーバ装置１は、送信要求信号を受信すると、共有対象画像の画像データを第２の携帯機器４に送信する（Ｔ１１９）。
第２の携帯機器４は、共有対象画像の画像データを受信すると、当該共有対象画像を表示部に表示する（Ｓ１２０）。
【００５０】
以上説明したように、本実施形態の撮像装置２によれば、サーバ装置１に共有対象画像をアップロードする際に、共有対象となる画像を共有対象画像として指定する操作を行うだけで、サーバ装置１に格納するために当該共有対象画像を送信するとともに、当該共有対象画像が格納される際のアルバムのＵＲＬを特定し、更にこの特定したアルバムのＵＲＬを第２の携帯機器４で読み取り可能な状態に変換して出力することができるので、第２の携帯機器４を所有するユーザが初対面の人であっても、共有対象画像を容易かつ確実に、更に素早く共有することができるようになる。
また、アルバムのＵＲＬを２次元コードに変換して表示するので、誤認識の可能性を低くすることができる。
また、予め多くの携帯機器に搭載されていることが推定される汎用的なアプリであり、表示されたコードに基づくＷｅｂページの表示が容易にできるアプリによって読み取り可能なコードを採用したので、より多くの機器で容易に対応するＷｅｂページを表示させることができる。
【００５１】
また、本実施形態の撮像装置２によれば、特定制御部２０５ｂによって、指定部２０５ａにより新たな共有対象画像が指定される毎に、特定処理において、それぞれのアルバムのＵＲＬを特定する処理を実行させるので、当該共有対象画像の指定毎に各共有対象画像を格納するアルバムを異ならせることができ、各共有対象画像を整理し易くなる。
【００５２】
また、本実施形態の撮像装置２によれば、指定部２０５ａによる新たな共有対象画像の指定に応じて、サーバ装置１に格納するために当該共有対象画像を送信する送信処理と、特定したアルバムのＵＲＬを第２の携帯機器４で読み取り可能な状態に変換して出力する出力処理と、を並行して同時に実行させることとなるので、効率良く画像共有を行うことができるようになる。
【００５３】
また、本実施形態の撮像装置２によれば、指定部２０５ａは、操作入力部２１１の選択決定ボタンによる所望の画像を選択する選択操作と、操作入力部２１１の設定ボタンによる当該所望の画像を共有対象とすることを指示する指示操作と、により共有対象となる画像を共有対象画像として指定するので、共有対象画像を容易かつ確実に指定することができるようになる。
【００５４】
また、本実施形態の撮像装置２によれば、指定部２０５ａは、操作入力部２１１の設定ボタンによる指示操作が行われた後に、操作入力部２１１の選択決定ボタンによる選択操作が行われた場合に、当該選択操作により選択された画像を共有対象画像として指定することとなる。また、動作制御部２０５は、上記指示操作に応じて、特定処理の実行を開始させ、上記選択操作に応じて、送信処理及び出力処理の実行を開始させることとなるので、効率良く画像共有を行うことができるようになる。
【００５５】
また、本実施形態の撮像装置２によれば、動作制御部２０５は、第２の携帯機器４が２次元コードを読み取ったと判断するまで、当該２次元コードを表示部２０９に表示させた状態で、送信処理を実行させるので、サーバ装置１に共有対象画像をアップロードしたにもかかわらず、第２の携帯機器４を所有するユーザが当該共有対象画像を格納したアルバムのＵＲＬにアクセスすることができないといった不具合を防止することができる。
【００５６】
また、本実施形態の撮像装置２によれば、出力制御部２０５ｄは、出力処理において、生成部２０８により生成された２次元コードを表示部２０９に表示させる処理を実行させるので、サーバ装置１にアップロードされた共有対象画像を格納するアルバムのＵＲＬ（アドレス情報）を、第２の携帯機器４に伝達し易くなり、共有対象画像を素早く共有することができるようになる。
【００５７】
また、本実施形態の撮像装置２によれば、指定部２０５ａは、撮像部２０３により撮像して得られる１または２以上の画像の中から所望の画像を共有対象画像として指定することとなるので、撮影を行ったその場で、当該撮影により得られた画像を共有することができるようになる。つまり、従来は撮影後に共有対象画像を格納するアルバムを作成したり、当該共有対象画像の閲覧を希望する人に対して、当該アルバムのＵＲＬをメールで送ったりと、イベント終了後に手間がかかっていたが、その場限りで画像共有の作業を完結させることができる。
【００５８】
また、本実施形態の撮像装置２によれば、広域ネットワークＮを介した通信が可能な携帯機器（第１の携帯機器３）との間でパーソナルな無線通信を行う通信部２１０を備え、動作制御部２０５は、指定部２０５ａによる新たな共有対象画像の指定に応じて自動的に、サーバ装置１に格納するための当該共有対象画像を、通信部２１０により第１の携帯機器３に送信し、第１の携帯機器３を介して広域ネットワークＮに接続されたサーバ装置１に送信する送信処理と、当該共有対象画像が格納される際のアルバムのＵＲＬを、第１の携帯機器３を介してサーバ装置１より受信することによって特定する特定処理と、この特定したアルバムのＵＲＬを第２の携帯機器４で読み取り可能な状態に変換して出力する出力処理と、を実行させることとなる。
この結果、サーバ装置１に共有対象画像をアップロードする際に、共有対象となる画像を共有対象画像として指定する操作を行うだけで、サーバ装置１に格納するために当該共有対象画像を送信するとともに、当該共有対象画像が格納される際のアルバムのＵＲＬを特定し、更にこの特定したアルバムのＵＲＬを第２の携帯機器４で読み取り可能な状態に変換して出力することができるので、共有対象画像を容易かつ確実に、更に素早く共有することができるようになる。
【００５９】
また、本実施形態の撮像装置２によれば、通信部２１０は、撮像装置２と第１の携帯機器３との両方が第１の所定状態にあることを条件として通信を行う第１通信部２１０ａと、撮像装置２と第１の携帯機器３とのうちの少なくとも何れか一方が第１の所定状態に比べて動作制限が多い第２の所定状態にある場合であっても通信を行うことが可能な第２通信部２１０ｂと、を有し、送信制御部２０５ｃは、第１の携帯機器３が第２の所定状態にある場合は、送信処理において、第２通信部２１０ｂによる通信によって第１の携帯機器３を第１の所定状態に移行させた後、第１通信部２１０ａによる通信によって共有対象画像を送信する処理を実行させることとなる。
この結果、例えば、第１の携帯機器３が第２の所定状態にあり、第１の携帯機器３において共有対象画像を受信することができないことにより、サーバ装置１に当該共有対象画像をアップロードすることができないといった不具合を防止することができるので、共有対象画像を容易かつ確実に、更に素早く共有することができるようになる。
【００６０】
また、本実施形態の撮像装置２によれば、出力制御部２０５ｄは、出力処理において、２次元コードとともに、当該２次元コードを生成する元になったアルバムのＵＲＬが示すアドレスに格納されている共有対象画像を並べて表示部２０９に表示させる処理を実行させるので、第２の携帯機器４を所有するユーザは、共有対象画像を確認しながら当該共有対象画像と対応付けられた２次元コードを読み取ることができるようになるので、当該ユーザが望む共有対象画像を容易かつ確実に、更に素早く共有することができるようになる。
【００６１】
また、本実施形態の撮像装置２によれば、出力処理によって表示部２０９に並べて表示された２次元コードと共有対象画像とを合成した合成画像Ｃを記録する記録媒体Ｍを備え、出力制御部２０５ｄは、出力処理において、記録媒体Ｍにより記録された合成画像Ｃがある場合、合成画像Ｃを任意のタイミングで読み出して表示部２０９に表示させる処理を実行させることとなるので、例えば、第２の携帯機器４を所有するユーザが共有対象画像が格納されているアルバムのＵＲＬを示すアドレス情報を無くしてしまった場合でも、当該共有対象画像と２次元コードとを合成した合成画像Ｃを読み出すことによって、再度、当該共有対象画像が格納されているアルバムを閲覧することができるようになるので、使い勝手が良い。
【００６２】
また、本実施形態の画像共有システム１００によれば、撮像装置２は、撮影した画像を共有対象画像として指定するとともに、パーソナルな無線通信により当該共有対象画像を第１の携帯機器３に送信し、第１の携帯機器３は、撮像装置２から受信した共有対象画像を広域ネットワークＮを介してサーバ装置１に送信し、サーバ装置１は、第１の携帯機器３から受信した共有対象画像をサーバ装置１のアルバムに格納するとともに、当該共有対象画像が格納された領域を示すＵＲＬを第１の携帯機器３に送信し、第１の携帯機器３は、サーバ装置１から受信したアルバムのＵＲＬを撮像装置２に送信し、撮像装置２は、第１の携帯機器３から受信したアルバムのＵＲＬを第２の携帯機器４で読み取り可能な状態に変換して出力し、第２の携帯機器４は、撮像装置２により変換された状態で出力されたアルバムのＵＲＬ（２次元コード）を読み取り、当該アルバムのＵＲＬが示すサーバ装置１の格納先にアクセスして共有対象画像を取得することとなる。
この結果、撮像装置２は、サーバ装置１に共有対象画像をアップロードする際に、共有対象となる画像を共有対象画像として指定する操作を行うだけで、サーバ装置１に格納するために当該共有対象画像を送信するとともに、当該共有対象画像が格納される際のアルバムのＵＲＬを特定し、更にこの特定したアルバムのＵＲＬを第２の携帯機器４で読み取り可能な状態に変換して出力することができるので、共有対象画像を容易かつ確実に、更に素早く共有することができるようになる。
【００６３】
なお、本発明は、上記実施形態に限定されることなく、本発明の趣旨を逸脱しない範囲において、種々の改良並びに設計の変更を行っても良い。
例えば、上記実施形態にあっては、撮像装置２が第１の携帯機器３を介して広域ネットワークＮに接続されたサーバ装置１に対して画像データやアドレス情報を送受信するようにしたが、撮像装置２が直接的に広域ネットワークＮに接続する機能を有するように構成してもよく、その場合、第１の携帯機器３を介さずに撮像装置２からサーバ装置１に対して直接的に画像データやアドレス情報を送受信するようにしても良い。
【００６４】
また、上記実施形態にあっては、特定制御部２０５ｂは、共有対象画像が格納される際のアドレスを示すアドレス情報を撮像装置２側で指定する制御を行うとともに、この指定したアドレス情報をサーバ装置１に送信する制御を行うようにしても良い。
【００６５】
また、上記実施形態にあっては、指定部２０５ａは、操作入力部２１１の選択決定ボタンによる選択操作が行われた後に、操作入力部２１１の設定ボタンによる指示操作が行われた場合に、当該選択操作により選択された画像を共有対象画像として指定するようにしても良い。
また、操作入力部２１１の選択決定ボタンと操作入力部２１１の設定ボタンを共用して１つのボタンとし、ユーザが所望の画像を表示させた状態でこの共用ボタンが操作された場合に、その表示している画像を共有対象画像として認識すると同時に、この共有対象画像を対象とするアドレス情報の取得動作や、この共有対象画像の送信動作を開始する指示が同時に行われたものとして認識させるようにしてもよい。
【００６６】
また、上記実施形態にあっては、動作制御部２０５は、指定部２０５ａによる新たな共有対象画像の指定に応じて、特定処理または出力処理と並行して送信処理を同時に実行させるようにしても良い。
【００６７】
また、上記実施形態にあっては、送信制御部２０５ｃは、送信処理を実行させるとき、共有対象画像の格納状態を指定するように制御しても良い。ここで、格納状態とは、サーバ装置１に格納される共有対象画像に対して、他の機器（第２の携帯機器４）から最初にアクセスがなされるまでの間は、当該共有対象画像のアドレス情報以外の所定の情報（例えば、ユーザＩＤやパスワード等）を必要とせずにアクセスを許可する一方で、他の機器から最初にアクセスがなされた後は、少なくともアドレス情報以外の所定の情報を必要としないアクセスを禁止する状態である。
【００６８】
また、上記実施形態にあっては、出力制御部２０５ｄは、出力処理において、アドレス情報（アルバムのＵＲＬ）を、ＮＦＣ（Near Field radio Communication）で規定されるデータ形式に変換し、当該ＮＦＣで規定される物理状態で出力する処理を実行させるようにしても良い。
【００６９】
また、上記実施形態にあっては、撮像部２０３により撮像して得られる画像を自動的にサーバ装置１に送信させる自動送信モードを設定する設定手段を更に備え、指定部２０５ａは、前記設定手段により自動送信モードが設定されている状態において、撮像部２０３による撮像が行われた場合は、この撮像により得られた画像を共有対象画像として指定するようにしても良い。
【００７０】
また、上記実施形態にあっては、第１の携帯機器３において画像送信用のアプリケーションソフトを起動することにより、第１の携帯機器３を介して、撮像装置２からサーバ装置１へ共有対象画像を送信するとともに、当該共有対象画像をサーバ装置１の所定のアルバムに登録するようにしたが、上記の方法に限られない。例えば、第１の携帯機器３において画像送信用のアプリケーションソフトとは別に、共有対象画像をサーバ装置１の所定のアルバムに登録するための画像共有用のアプリケーションソフトを起動することにより、画像共有を行えるようにしても良い。具体的には、例えば、画像共有用のアプリケーションソフトの実行下にて、共有対象画像を登録するためのアルバムをサーバ装置１に作成させる。一方、画像送信用のアプリケーションソフトの実行下にて、撮像装置２から第１の携帯機器３へ共有対象画像を送信させ、当該共有対象画像を一旦、第１の携帯機器３で保存させる。そして、画像共有用のアプリケーションソフトの実行下にて、サーバ装置１に対して、作成したアルバムへの共有対象画像の登録を要求するアルバム登録要求信号を送信させ、当該アルバムへ共有対象画像を登録させるようにする。
【００７１】
また、第１の携帯機器３に搭載されているＯＳ（オペレーティングシステム）の制約により２つのアプリケーションソフト（画像送信用のアプリケーションソフトと画像共有用のアプリケーションソフト）間で直接的に命令やデータをやりとりできない場合には、撮像装置２とのＢＬＥ通信を介して間接的に２つのアプリケーションソフト間で命令やデータをやりとりしても良い。例えば、画像送信用のアプリケーションソフトは、撮像装置２から第１の携帯機器３に送信された共有対象画像を一旦格納したときに、当該共有対象画像のリストをリストファイルとして生成する。そして、この格納された共有対象画像を画像共有用のアプリケーションソフトによって第１の携帯機器３からサーバ装置１へ送信する際に、画像送信用のアプリケーションソフトは、Ｗｉ−Ｆｉ通信により、上記リストファイルを撮像装置２へ送信するとともに、ＢＬＥ通信により、共有対象画像の格納が完了したのでサーバ装置１への共有対象画像の送信を画像共有用のアプリケーションソフトに開始させるための指示を撮像装置２が行う旨のアルバム登録要求指示信号を撮像装置２に送信する。そして、このアルバム登録要求指示信号を受信した撮像装置２は、ＢＬＥ通信により、サーバ装置１への共有対象画像の送信を画像共有用のアプリケーションソフトに開始させるためのアルバム登録要求信号を画像共有用のアプリケーションソフトに送信するとともに、Ｗｉ−Ｆｉ通信により、上記リストファイルを画像共有用のアプリケーションソフトに送信する。ここで、リストファイルには、第１の携帯機器３上のどこに共有対象画像が保存されているか記載がなされているので、第１の携帯機器３は、画像共有用のアプリケーションソフトの実行下にて、リストファイルに基づき共有対象画像を読み出して、サーバ装置１の所定のアルバムへ当該共有対象画像を送信することができることとなる。
【００７２】
また、上記実施形態にあっては、指定手段、制御手段としての機能を、中央制御部２０１の制御下にて、動作制御部２０５が駆動することにより実現される構成としたが、これに限られるものではなく、中央制御部２０１によって予定のプログラム等が実行されることにより実現される構成としても良い。
すなわち、プログラムメモリ（図示略）に、指定処理ルーチン、制御処理ルーチンを含むプログラムを記録しておく。そして、指定処理ルーチンにより中央制御部２０１のＣＰＵを、共有対象となる画像を共有対象画像として指定する指定手段として機能させるようにしても良い。また、制御処理ルーチンにより中央制御部２０１のＣＰＵを、指定処理ルーチンによる新たな共有対象画像の指定に応じて自動的に、サーバ装置１に格納するために当該共有対象画像を送信する送信処理と、当該共有対象画像が格納される際のアドレスを示すアドレス情報を特定する特定処理と、この特定したアドレス情報を第２の携帯機器４で読み取り可能な状態に変換して出力する出力処理と、を実行させる制御手段として機能させるようにしても良い。
【００７３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
共有対象となる画像を共有対象画像として指定する指定手段と、
前記指定手段による新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる制御手段と、
を備えることを特徴とする画像処理装置。
＜請求項２＞
前記制御手段は、前記指定手段により新たな共有対象画像が指定される毎に、前記特定処理において、それぞれのアドレスを示すアドレス情報を特定する処理を実行させることを特徴とする請求項１に記載の画像処理装置。
＜請求項３＞
前記制御手段は、前記指定手段による新たな共有対象画像の指定に応じて、前記送信処理と前記出力処理とを並行して同時に実行させることを特徴とする請求項１に記載の画像処理装置。
＜請求項４＞
前記指定手段は、所望の画像を選択する選択操作と、当該所望の画像を共有対象とすることを指示する指示操作と、により前記共有対象となる画像を共有対象画像として指定することを特徴とする請求項１に記載の画像処理装置。
＜請求項５＞
前記指定手段は、前記指示操作が行われた後に、前記選択操作が行われた場合に、当該選択操作により選択された画像を前記共有対象画像として指定し、
前記制御手段は、前記指示操作に応じて、前記特定処理の実行を開始させ、前記選択操作に応じて、前記送信処理及び前記出力処理の実行を開始させることを特徴とする請求項４に記載の画像処理装置。
＜請求項６＞
前記制御手段は、前記共有対象画像が格納される際のアドレスを示すアドレス情報を自装置側で指定する制御を行うとともに、この指定したアドレス情報を外部機器に送信する制御を行うことを特徴とする請求項４に記載の画像処理装置。
＜請求項７＞
前記指定手段は、前記選択操作が行われた後に、前記指示操作が行われた場合に、当該選択操作により選択された画像を前記共有対象画像として指定することを特徴とする請求項４に記載の画像処理装置。
＜請求項８＞
前記制御手段は、前記指定手段による新たな共有対象画像の指定に応じて、前記特定処理または前記出力処理と並行して前記送信処理を同時に実行させることを特徴とする請求項３に記載の画像処理装置。
＜請求項９＞
前記出力処理は、前記特定処理により特定された前記アドレス情報を他の機器で解析可能なコードに変換し、この変換されたコードを他の機器で読み取り可能な物理状態に変換して出力し、他の機器が当該コードを読み取ったと判断するまで、この出力の状態を維持する処理であり、
前記制御手段は、少なくとも、前記出力の状態を維持した状態で、前記送信処理を実行させることを特徴とする請求項１に記載の画像処理装置。
＜請求項１０＞
前記制御手段は、前記他の機器で前記コードが読み取られたことが自動検出された場合、ユーザによる前記コードの読み取り完了の指示がなされた場合、または前記コードの読み取りに必要な所定時間が経過した場合に、前記他の機器が前記コードを読み取ったと判断することを特徴とする請求項９に記載の画像処理装置。
＜請求項１１＞
前記制御手段は、前記送信処理を実行させるとき、前記共有対象画像の格納状態を指定するように制御し、
前記格納状態は、前記外部機器に格納される前記共有対象画像に対して、他の機器から最初にアクセスがなされるまでの間は、当該共有対象画像の前記アドレス情報以外の所定の情報を必要とせずにアクセスを許可する一方で、他の機器から最初にアクセスがなされた後は、少なくとも前記アドレス情報以外の所定の情報を必要としないアクセスを禁止する状態であることを特徴とする請求項１に記載の画像処理装置。
＜請求項１２＞
前記特定処理により特定されたアドレス情報に基づき、コード化した画像であるコード化画像を生成する生成手段と、
前記生成手段により生成されたコード化画像を表示する表示手段と、
を備え、
前記制御手段は、前記出力処理において、前記生成手段により生成された前記コード化画像を前記表示手段に表示させる処理を実行させることを特徴とする請求項１に記載の画像処理装置。
＜請求項１３＞
前記制御手段は、前記出力処理において、前記アドレス情報を、ＮＦＣで規定されるデータ形式に変換し、当該ＮＦＣで規定される物理状態で出力する処理を実行させることを特徴とする請求項１に記載の画像処理装置。
＜請求項１４＞
撮像手段を更に備え、
前記指定手段は、前記撮像手段により撮像して得られる１または２以上の画像の中から所望の画像を前記共有対象画像として指定することを特徴とする請求項１に記載の画像処理装置。
＜請求項１５＞
前記撮像手段により撮像して得られる画像を自動的に外部機器に送信させる自動送信モードを設定する設定手段を更に備え、
前記指定手段は、前記設定手段により自動送信モードが設定されている状態において、前記撮像手段による撮像が行われた場合は、この撮像により得られた画像を前記共有対象画像として指定することを特徴とする請求項１４に記載の画像処理装置。
＜請求項１６＞
広域ネットワークを介した通信が可能な携帯機器との間でパーソナルな無線通信を行う通信手段を備え、
前記制御手段は、前記指定手段による新たな共有対象画像の指定に応じて自動的に、前記外部機器としてのサーバ装置に格納するための当該共有対象画像を、前記通信手段により前記携帯機器に送信し、当該携帯機器を介して広域ネットワークに接続された前記サーバ装置に送信する送信処理と、当該共有対象画像が格納される際のアドレスを示すアドレス情報を、前記携帯機器を介して前記サーバ装置より受信することによって特定する特定処理と、この特定したアドレス情報を他の機器で読み取り可能な状態に変換して出力する出力処理と、を実行させることを特徴とする請求項１４に記載の画像処理装置。
＜請求項１７＞
前記通信手段は、
自装置と前記携帯機器との両方が第１の所定状態にあることを条件として通信を行う第１の通信手段と、
自装置と前記携帯機器とのうちの少なくとも何れか一方が前記第１の所定状態に比べて動作制限が多い第２の所定状態にある場合であっても通信を行うことが可能な第２の通信手段と、を有し、
前記制御手段は、前記携帯機器が前記第２の所定状態にある場合は、前記送信処理において、前記第２の通信手段による通信によって当該携帯機器を前記第１の所定状態に移行させた後、前記第１の通信手段による通信によって前記共有対象画像を送信する処理を実行させることを特徴とする請求項１６に記載の画像処理装置。
＜請求項１８＞
前記第１の所定状態とは、電源がオンの状態であり、かつ、画像送信用のアプリケーションソフトを実行可能な状態であり、
前記第２の所定状態とは、電源がオンの状態でないか、あるいは、画像送信用のアプリケーションソフトを実行可能でない状態であることを特徴とする請求項１７に記載の画像処理装置。
＜請求項１９＞
前記第１の通信手段は、Ｗｉ−Ｆｉ規格に基づく通信であり、
前記第２の通信手段は、ＢＬＥ規格に基づく通信であることを特徴とする請求項１８に記載の画像処理装置。
＜請求項２０＞
前記制御手段は、前記出力処理において、前記コード化画像とともに、当該コード化画像を生成する元になった前記アドレス情報が示すアドレスに格納されている前記共有対象画像を並べて前記表示手段に表示させる処理を実行させることを特徴とする請求項１２に記載の画像処理装置。
＜請求項２１＞
前記出力処理によって前記表示手段に並べて表示された前記コード化画像と前記共有対象画像とを合成した合成画像を記録する記録手段を備え、
前記制御手段は、前記出力処理において、前記記録手段により記録された前記合成画像がある場合、当該合成画像を任意のタイミングで読み出して前記表示手段に表示させる処理を実行させることを特徴とする請求項２０に記載の画像処理装置。
＜請求項２２＞
共有対象となる画像を共有対象画像として指定する指定手段と、
前記指定手段による新たな共有対象画像の指定に応じて自動的に、外部機器に格納するために当該共有対象画像を送信する送信処理と、当該共有対象画像が格納される際のアドレスを示すアドレス情報を他の機器で読み取り可能な状態に変換して出力する出力処理と、を実行させる制御手段と、
を備えることを特徴とする画像処理装置。
＜請求項２３＞
共有対象となる画像を共有対象画像として指定する処理と、
新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる処理と、
を含むことを特徴とする画像共有方法。
＜請求項２４＞
コンピュータを、
共有対象となる画像を共有対象画像として指定する指定手段、
前記指定手段による新たな共有対象画像の指定に応じて自動的に、外部機器に格納するために当該共有対象画像を送信する送信処理と、当該共有対象画像が格納される際のアドレスを示すアドレス情報を特定する特定処理と、この特定したアドレス情報を他の機器で読み取り可能な状態に変換して出力する出力処理と、を実行させる制御手段、
として機能させることを特徴とするプログラム。
＜請求項２５＞
撮像装置と第１の携帯機器と第２の携帯機器とサーバ装置とで構成される画像共有システムであって、
前記撮像装置は、撮影した画像を共有対象画像として指定するとともに、パーソナルな無線通信により当該共有対象画像を前記第１の携帯機器に送信し、
前記第１の携帯機器は、前記撮像装置から受信した前記共有対象画像を広域ネットワークを介して前記サーバ装置に送信し、
前記サーバ装置は、前記第１の携帯機器から受信した前記共有対象画像を自装置の格納手段に格納するとともに、当該共有対象画像が格納された領域を示すアドレス情報を前記第１の携帯機器に送信し、
前記第１の携帯機器は、前記サーバ装置から受信した前記アドレス情報を前記撮像装置に送信し、
前記撮像装置は、前記第１の携帯機器から受信した前記アドレス情報を前記第２の携帯機器で読み取り可能な状態に変換して出力し、
前記第２の携帯機器は、前記撮像装置により変換された状態で出力された前記アドレス情報を読み取り、当該アドレス情報が示す前記サーバ装置の格納先にアクセスして前記共有対象画像を取得することを特徴とする画像共有システム。
＜請求項２６＞
前記第２の携帯機器は、前記撮像装置により２次元コードに変換され表示されている前記アドレス情報を撮像し、この撮像された２次元コードを解析し、この解析したアドレス情報が示す前記サーバ装置の格納先にアクセスして前記共有対象画像を取得することを特徴とする請求項２５に記載の画像共有システム。
＜請求項２７＞
撮像装置と携帯機器とサーバ装置とで構成される画像共有システムであって、
前記撮像装置は、撮影した画像を共有対象画像として指定するとともに、パーソナルな無線通信により当該共有対象画像を前記携帯機器に送信し、
前記携帯機器は、前記撮像装置から受信した前記共有対象画像を広域ネットワークを介して前記サーバ装置に送信し、
前記サーバ装置は、前記携帯機器から受信した前記共有対象画像を自装置の格納手段に格納するとともに、当該共有対象画像が格納された領域を示すアドレス情報を前記携帯機器に送信し、
前記携帯機器は、前記サーバ装置から受信した前記アドレス情報を前記撮像装置に送信し、
前記撮像装置は、前記携帯機器から受信した前記アドレス情報を他の機器で読み取り可能な状態に変換して出力することを特徴とする画像共有システム。
【符号の説明】
【００７５】
１００    画像共有システム
１        サーバ装置
２        撮像装置
２０１    中央制御部
２０２    メモリ
２０３    撮像部
２０４    信号処理部
２０５    動作制御部
２０５ａ  指定部
２０５ｂ  特定制御部
２０５ｃ  送信制御部
２０５ｄ  出力制御部
２０６    画像処理部
２０７    記録媒体制御部
２０８    生成部
２０９    表示部
２０９ａ  表示制御部
２０９ｂ  表示パネル
２１０    通信部
２１０ａ  第１通信部
２１０ｂ  第２通信部
２１１    操作入力部
３        第１の携帯機器
４        第２の携帯機器
Ｃ        合成画像
Ｍ        記録媒体
【図１】
2017117010.tif 000003
【図２】
2017117010.tif 000004
【図３】
2017117010.tif 000005
【図４】
2017117010.tif 000006